(57)【要約】【課題】  転写チリ、放電、逆転写による画像不良の無い、安定した高品質の転写装置を有する画像形成装置を提供すること。【解決手段】  像担持体上に担持されたトナー像を転写電界付与手段により形成された転写領域内で転写媒体上に転写する転写装置を有する画像形成装置であって、前記転写装置は、転写領域内の前記像担持体に対し、転写電界を付与する２つの転写電界付与手段と、振動を付与する振動付与手段とを備え、前記振動付与手段は、２つの前記転写電界付与手段により形成される２つの電界の中間の位置で、前記像担持体に振動を付与するように構成されていることを特徴とする転写装置を有する画像形成装置。【選択図】        図２
2006243596.tif 000002
【特許請求の範囲】
【請求項１】
像担持体上に担持されたトナー像を転写電界付与手段により形成された転写領域内で転写媒体上に転写する転写装置を有する画像形成装置であって、
前記転写装置は、転写領域内の前記像担持体に対し、転写電界を付与する２つの転写電界付与手段と、振動を付与する振動付与手段とを備え、
前記振動付与手段は、２つの前記転写電界付与手段により形成される２つの電界の中間の位置で、前記像担持体に振動を付与するように構成されていることを特徴とする転写装置を有する画像形成装置。
【請求項２】
前記転写領域には、転写媒体搬送方向の順に、前記転写電界付与手段の一方の転写電界付与手段である第１転写電界付与手段、前記振動付与手段、他方の転写電界付与手段である第２転写電界付与手段、の順に配置され、
前記第１転写電界付与手段によって形成される電界は、前記第２転写電界付与手段によって形成される電界より大きいことを特徴とする請求項１に記載の転写装置を有する画像形成装置。
【請求項３】
前記転写装置は、前記転写媒体を前記像担持体に当接させるようにガイドするガイド部材を備えており、前記ガイド部材により前記転写媒体を当接させる位置が、前記第１転写電界付与手段により形成される電界が前記転写媒体に作用する位置よりも、転写媒体搬送方向で、より上流の位置になるように構成したことを特徴とする請求項１又は２に記載の転写装置を有する画像形成装置。
【請求項４】
前記第２転写電界付与手段によって付与される電位は、剥離放電を起こさない範囲の電位であることを特徴とする請求項２又は３に記載の転写装置を有する画像形成装置。
【請求項５】
２つの前記転写電界付与手段はそれぞれ独立して電界を付与することができるように構成されていることを特徴とする請求項１乃至４のいずれか１項に記載の転写装置を有する画像形成装置。
【請求項６】
前記転写媒体が中間転写ベルトであることを特徴とする請求項１、請求項２、請求項４、または請求項５に記載の転写装置を有する画像形成装置。
【請求項７】
前記像担持体が中間転写ベルトであることを特徴とする請求項１乃至５のいずれか１項に記載の転写装置を有する画像形成装置。
【発明の詳細な説明】
【技術分野】
【０００１】
本発明は、電子写真方式によって画像形成を行う画像形成装置に係わり、特に像担持体上のトナー像を転写紙上に転写する転写手段に、転写電界付与手段と振動付与手段とを設けた画像形成装置に関する。
【背景技術】
【０００２】
現在、高速で高画質を要求される画像形成装置に電子写真方式を中心とする静電潜像方式の画像形成方法が多く採用されている。
【０００３】
その理由としては、高画質画像が、高速かつ安定的に得られる他、カラー画像やデジタル画像形成へも適用可能であることが挙げられる。今後も静電潜像方式の画像形成方法は、発展し続けるものと考えられる。
【０００４】
しかしながら、市場からの画像形成技術に対する性能要求レベルは高く、しかも年々上昇しているため、静電潜像方式においても更なる性能向上が求められている。
【０００５】
その要求の中で、最も大きなものは更なる画質の向上であり、重要な画質上の問題の一つに、現像により形成されたトナー像を、転写媒体である中間転写体或いは転写紙（以下、両者をまとめて転写材ともいう）に転写する工程での問題がある。転写工程にて生じる問題は大きく分けて二種類あり、第１には全体的なトナーの転写率の低下を抑え、如何に高い転写率を保つかという課題であり、第２には転写工程で生じる転写ヌケ、トナー飛び散り（以下、転写チリという）、画像ボケ等の画像故障を如何にして防止するかという課題である。
【０００６】
従来、感光体（電子写真感光体を表す）から転写材へのトナー画像の転写率を上げるため、（１）転写ローラ或いは転写ワイヤー電極に印加する電圧を上げる、（２）転写前露光で感光体を全面露光する、（３）転写前帯電で感光体面或いはトナーを適度な電荷に制御する、等の方法を用いてきた。しかしながら、これらの方法には何れも問題があり、例えば、（１）の方法では微少空間でのリークが発生し画像ヌケが起こる、（２）の方法では画像部のトナーが周辺部に飛び散る、（３）の方法では感光体或いはトナーの電荷を適正に制御するのが困難であるという実態であった。この様に従来から画像欠陥を伴わず、転写率を上げるには限界があったが、最近は小粒径トナーや粒径分布、粒子形状の揃ったトナーを用いるためその傾向は更に強くなっている。
【０００７】
特に、カラー複写機やカラープリンタにおいて、通常、複数の感光体を用い、それぞれの感光体で形成した単色カラー画像を順次転写して重ね合わせカラー画像を作製する。この様な場合に転写率が低下すると、画像濃度の低下ばかりでなくカラーバランスの崩れとなって現れるため大きな問題となる。
【０００８】
尚、転写率を上げようとして転写時に流れる電流値を上げると、例えば中間転写体に一旦転写したトナーが、以後の転写において逆に感光体へ再転写する傾向も強めることになる。
【０００９】
又、カラー画像形成には中間転写体を用い、中間転写体への一次転写と、中間転写体から転写紙への二次転写と２度の転写を経る態様が多い。この場合は、さらに転写率の影響が大きくなる。
【００１０】
上記の如き問題を解決するために、トナー像を転写材に転写する際に、転写部に、転写用電界を形成すると共に、機械的な振動を付与するという技術（特許文献１）が提案されている。
【特許文献１】特開平９−６２１１５号公報
【発明の開示】
【発明が解決しようとする課題】
【００１１】
しかしながら、特許文献１に記載された発明では、振動付与を付与される地点が、転写電界が付与される地点より早い地点であり、トナーが転写される寸前に振動することにより転写チリを生じさせる危険性がある。
【００１２】
本発明の目的は、転写チリの発生を防止し、放電や逆転写による画像不良の無い、安定した高品質の転写装置を有する画像形成装置を提供することにある。
【課題を解決するための手段】
【００１３】
本発明の目的は、下記の構成により達成することが出来る。
【００１４】
請求項１に係る転写装置を有する画像形成装置は、像担持体上に担持されたトナー像を転写電界付与手段により形成された転写領域内で転写媒体上に転写する転写装置を有する画像形成装置であって、前記転写装置は、転写領域内の前記像担持体に対し、転写電界を付与する２つの転写電界付与手段と、振動を付与する振動付与手段とを備え、前記振動付与手段は、２つの前記転写電界付与手段により形成される２つの電界の中間の位置で、前記像担持体に振動を付与するように構成されていることを特徴とするものである。
【００１５】
請求項２に係る転写装置を有する画像形成装置は、請求項１に記載の転写装置を有する画像形成装置において、前記転写領域には、転写媒体搬送方向の順に、前記転写電界付与手段の一方の転写電界付与手段である第１転写電界付与手段、前記振動付与手段、他方の転写電界付与手段である第２転写電界付与手段、の順に配置され、前記第１転写電界付与手段によって形成される電界は、前記第２転写電界付与手段によって形成される電界より大きいことを特徴とするものである。
【００１６】
請求項３に係る転写装置を有する画像形成装置は、請求項１又は２に記載の転写装置を有する画像形成装置において、前記転写装置が、前記転写媒体を前記像担持体に当接させるようにガイドするガイド部材を備えており、前記ガイド部材により前記転写媒体を当接させる位置が、前記第１転写電界付与手段により形成される電界が前記転写媒体に作用する位置よりも、転写媒体搬送方向で、より上流の位置になるように構成したことを特徴とするものである。
【００１７】
請求項４に係る転写装置を有する画像形成装置は、請求項２又は３に記載の転写装置を有する画像形成装置において、前記第２転写電界付与手段によって付与される電位が、剥離放電を起こさない範囲の電位であることを特徴とするものである。
【００１８】
請求項５に係る転写装置を有する画像形成装置は、請求項１乃至４のいずれか１項に記載の転写装置を有する画像形成装置において、２つの前記転写電界付与手段がそれぞれ独立して電界を付与することができるように構成されていることを特徴とするものである。
【００１９】
請求項６に係る転写装置を有する画像形成装置は、請求項１、請求項２、請求項４、または請求項５に記載の転写装置を有する画像形成装置において、前記転写媒体が中間転写ベルトであることを特徴とするものである。
【００２０】
請求項７に係る転写装置を有する画像形成装置は、請求項１乃至５のいずれか１項に記載の転写装置を有する画像形成装置において、前記像担持体が中間転写ベルトであることを特徴とするものである。
【発明の効果】
【００２１】
本発明によれば、転写チリの発生を防止し、安定した高品質の転写装置を有する画像形成装置を提供することができる。
【発明を実施するための最良の形態】
【００２２】
以下、本発明の実施の形態を説明する。なお、本発明についての記載は請求項の技術的範囲や用語の意義を限定するものではない。また、以下の、本発明の実施の形態における断定的な説明は、ベストモードを示すものであって、本発明の用語の意義や技術的範囲を限定するものではない。
【００２３】
図１は、本発明に係るカラー画像形成装置の一実施の形態を示す断面構成図である。
【００２４】
このカラー画像形成装置は、タンデム型フルカラー複写機と称せられるもので、複数組の画像形成部１０Ｙ、１０Ｍ、１０Ｃ、１０Ｋと、無端ベルト状中間転写体ユニット（以下、単に中間転写体ユニットという）７と、給紙搬送手段２１及び定着手段２４とから成る。画像形成装置の本体Ａの上部には、原稿画像読み取り装置ＳＣが配置されている。
【００２５】
イエロー色の画像を形成する画像形成部１０Ｙは、第１の像担持体としてのドラム状の感光体１Ｙの周囲に配置された帯電手段２Ｙ、露光手段３Ｙ、現像手段４Ｙ、一次転写の転写電界付与手段である一次転写ローラ５Ｙ、クリーニング手段６Ｙを有する。マゼンタ色の画像を形成する画像形成部１０Ｍは、第１の像担持体としてのドラム状の感光体１Ｍ、帯電手段２Ｍ、露光手段３Ｍ、現像手段４Ｍ、一次転写ローラ５Ｍ、クリーニング手段６Ｍを有する。シアン色の画像を形成する画像形成部１０Ｃは、第１の像担持体としてのドラム状の感光体１Ｃ、帯電手段２Ｃ、露光手段３Ｃ、現像手段４Ｃ、一次転写ローラ５Ｃ、クリーニング手段６Ｃを有する。黒色画像を形成する画像形成部１０Ｋは、第１の像担持体としてのドラム状の感光体（以下、１Ｙ、１Ｍ、１Ｃ、及び１Ｋを単に感光体という。）１Ｋ、帯電手段２Ｋ、露光手段３Ｋ、現像手段４Ｋ、一次転写ローラ５Ｋ、クリーニング手段６Ｋを有する。
【００２６】
中間転写体ユニット７は、複数のローラにより巻回され、回動可能に支持された半導電性エンドレスベルト状の、第１の転写媒体であると共に第２の像担持体でもある無端ベルト状中間転写体（以下、単に中間転写ベルトという。）７０を有する。
【００２７】
画像形成部１０Ｙ、１０Ｍ、１０Ｃ、１０Ｋより形成された各色の画像は、一次転写の転写電界付与手段としての一次転写ローラ（以下、単に一次転写ローラという。）５Ｙ、５Ｍ、５Ｃ、５Ｋにより、回動する中間転写ベルト７０上に逐次転写されて、合成されたカラー画像が形成される。給紙カセット２０内に収容された第２の転写媒体としての用紙Ｐは、給紙手段２１により給紙され、複数の中間ローラ２２Ａ、２２Ｂ、２２Ｃ、２２Ｄ、レジストローラ２３を経て、二次転写の一方の転写電界付与手段である第１の二次転写ローラ（以下、単に第１の二次転写ローラという。）５Ａ、同じく二次転写の他方の転写電界付与手段である第２の二次転写ローラ（以下、単に第２の二次転写ローラという。）５Ｂ、及びバックアップローラ５Ｄに搬送され、用紙Ｐ上に二次転写してカラー画像が一括転写される。カラー画像が転写された用紙Ｐは、定着手段２４により定着処理され、排紙ローラ２５に挟持されて機外の排紙トレイ２６上に載置される。
【００２８】
一方、二次転写ローラ５Ａ、５Ｂ、及びバックアップローラ５Ｄにより用紙Ｐにカラー画像を転写した後、用紙Ｐを曲率分離した中間転写ベルト７０は、クリーニング手段６Ａにより残留トナーが除去される。
【００２９】
画像形成処理中、一次転写ローラ５Ｋは常時、感光体１Ｋに圧接している。他の一次転写ローラ５Ｙ、５Ｍ、５Ｃはカラー画像形成時にのみ、それぞれ対応する感光体１Ｙ、１Ｍ、１Ｃに圧接する。
【００３０】
バックアップローラ５Ｄは、当該バックアップローラ５Ｄを用紙Ｐが通過して二次転写が行われる時にのみ、中間転写ベルト７０に圧接する。
【００３１】
また、筐体８は装置本体Ａから支持レール８２Ｌ、８２Ｒを介して引き出し可能に構成されている。
【００３２】
筐体８は、画像形成部１０Ｙ、１０Ｍ、１０Ｃ、１０Ｋと、中間転写体ユニット７とから成る。
【００３３】
画像形成部１０Ｙ、１０Ｍ、１０Ｃ、１０Ｋは、垂直方向に縦列配置されている。感光体１Ｙ、１Ｍ、１Ｃ、１Ｋの図示左側方には中間転写体ユニット７が配置されている。中間転写体ユニット７は、ローラ７１、７２、７３、本発明の実施形態に係る第１転写電界付与手段である第１の二次転写ローラ５Ａ及び第２転写電界付与手段である第２の二次転写ローラ５Ｂを巻回する回動可能な中間転写ベルト７０と、一次転写ローラ５Ｙ、５Ｍ、５Ｃ、５Ｋと、クリーニング手段６Ａとから成る。
【００３４】
筐体８の引き出し操作により、画像形成部１０Ｙ、１０Ｍ、１０Ｃ、１０Ｋと、中間転写体ユニット７とは、一体となって、本体Ａから引き出される。
【００３５】
筐体８の図示左側の支持レール８２Ｌは、中間転写ベルト７０の左方で、定着手段２４の上方空間部に配置されている。筐体８の図示右側の支持レール８２Ｒは、最下部の現像手段４Ｋの下方付近に配置されている。支持レール８２Ｒは、現像手段４Ｙ、４Ｍ、４Ｃ、４Ｋを筐体８に着脱する動作に支障を来さない位置に配置されている。
【００３６】
筐体８の感光体１Ｙ、１Ｍ、１Ｃ、１Ｋの図示右方は、現像手段４Ｙ、４Ｍ、４Ｃ、４Ｋにより囲まれ、図示下方は、帯電手段２Ｙ、２Ｍ、２Ｃ、２Ｋ、及びクリーニング手段６Ｙ、６Ｍ、６Ｃ、６Ｋ等により囲まれ、図示左方は、中間転写ベルト７０により囲まれている。
【００３７】
その中で感光体、クリーニング手段及び帯電手段等は一つの感光体ユニットを形成し、現像手段及びトナー補給装置等は一つの現像ユニットを形成している。
【００３８】
一次転写ローラ５Ｙ、５Ｍ、５Ｃ、５Ｋは、中間転写体としての中間転写ベルト７０の背面から各感光体１Ｙ、１Ｍ、１Ｃ、１Ｋへ押圧される構成となっているが、押圧する時は、押圧しない時の中間転写ベルト７０と各感光体１Ｙ、１Ｍ、１Ｃ、１Ｋとの接触点よりも感光体回転方向下流側で、各感光体１Ｙ、１Ｍ、１Ｃ、１Ｋへ押圧される。このとき中間転写ベルト７０は各感光体１Ｙ、１Ｍ、１Ｃ、１Ｋの外周に沿うように曲げられ、感光体と中間転写ベルト７０の接触領域の最も下流側に一次転写ローラ５Ｙ、５Ｍ、５Ｃ、５Ｋが配置される構成となる。
【００３９】
なお、本発明では、感光体又は中間転写ベルトからなる像担持体に形成されたトナー像を転写材である転写媒体上に転写しうる領域を転写領域という。
【００４０】
図２は、本発明に係る実施形態としての転写装置の構成及び動作を説明するための模式的断面図である。
【００４１】
図２において、転写装置は、第１の二次転写ローラ５Ａ、第２の二次転写ローラ５Ｂ、第１の二次転写ローラ５Ａに電界を付与する第１の電源（電界制御部）５０Ａ、第２の二次転写ローラ５Ｂに電界を付与する第２の電源（電界制御部）５０Ｂ、バックアップローラ５Ｄ、振動付与手段９Ａ、及びガイド部材２３Ａを有している。
【００４２】
振動付与手段９Ａとしては、図示しない電源からの通電により機械的振動を発生する手段、例えばピエゾ素子を用いた手段が挙げられる。
【００４３】
振動付与手段９Ａは中間転写ベルト７０の内側に配設されており、ガイド部材２３Ａは用紙Ｐをガイドする部材で、転写装置の用紙搬送方向の最上流側に配設される。第１の二次転写ローラ５Ａ、第２の二次転写ローラ５Ｂは金属ローラの表面に導電性ゴム層を設けたもので、第１の二次転写ローラ５Ａの導電性ゴム層は第１の電源（電界制御部）５０Ａに、第２の二次転写ローラ５Ｂの導電性ゴム層は第２の電源（電界制御部）５０Ｂに、それぞれ電気的に接続されている。第１の二次転写ローラ５Ａは第２の二次転写ローラ５Ｂより、用紙搬送方向の上流側に配設されており、第１の電源（電界制御部）５０Ａにより第１の二次転写ローラ５Ａに付与される電界は、第２の電源（電界制御部）５０Ｂにより第２の二次転写ローラ５Ｂに付与される電界より高くなるように設定されている。また、第１の電源（電界制御部）５０Ａと第２の電源（電界制御部）５０Ｂとは、互いに独立して電界を付与することができるように構成されている。
【００４４】
振動付与手段９Ａは、第１の二次転写ローラ５Ａと第２の二次転写ローラ５Ｂとの中間に配置されている。
【００４５】
第１の電源（電界制御部）５０Ａ、第２の電源（電界制御部）５０Ｂのオン、及び振動付与手段９Ａの作動により、中間転写ベルト７０上のトナー像を用紙Ｐ上に転写可能とする転写領域が中間転写ベルト７０上に形成される。
【００４６】
用紙Ｐが転写領域に進入する直前に、バックアップローラ５Ｄが移動して中間転写ベルト７０に当接し、更には、中間転写ベルト７０と第１の二次転写ローラ５Ａ、第２の二次転写ローラ５Ｂの２つのローラとを当接させる。また、用紙Ｐの搬送タイミングに合わせて、第１の電源（電界制御部）５０Ａ、第２の電源（電界制御部）５０Ｂがオンされて第１の二次転写ローラ５Ａ、第２の二次転写ローラ５Ｂに電界を付与し、振動付与手段９Ａが駆動されて振動を開始する。
【００４７】
更に、ガイド部材２３Ａは、用紙Ｐの先端が、第１の電源（電界制御部）５０Ａにより形成される電界の作用する位置より用紙搬送方向で上流側の位置において、中間転写ベルト７０に当接するように、用紙Ｐをガイドする形状及び配置となっている。この配置により、用紙Ｐが、転写領域に到達する前に、ガイド部材により像担持体に当接され、用紙Ｐと前記像担持体とが密着した状態で転写が行われるため、転写チリや逆転写の無い安定した転写画像を得ることができる。
【００４８】
レジストローラ２３により搬送される用紙Ｐの先端がガイド部材２３Ａに近づくと、バックアップローラ５Ｄが移動して中間転写ベルト７０に当接し、第１の電源（電界制御部）５０Ａがオンされて第１の二次転写ローラ５Ａを介して電界が形成される。用紙Ｐの先端は、中間転写ベルト７０に搭載されたトナー像とタイミングを合わせ、ガイド部材２３Ａによりガイドされて中間転写ベルト７０に当接される。中間転写ベルト７０に密着した用紙Ｐは、第１の電源（電界制御部）５０Ａにより形成される転写領域に到達し、中間転写ベルト７０に搭載されたトナー像の用紙Ｐへの転写を開始し、バックアップローラ５Ｄとバックアップローラ５Ｄに密着する中間転写ベルト７０との間に搬入される。用紙Ｐの先端が振動付与手段９Ａに近づくタイミングに合わせて振動付与手段９Ａは振動を開始し、第２の電源（電界制御部）５０Ｂがオンされて第２の二次転写ローラ５Ｂに電界が付与される。用紙搬送方向に配列された、第１の二次転写ローラ５Ａ、振動付与手段９Ａ、第２の二次転写ローラ５Ｂが、転写領域に進入する用紙Ｐに対し、配列順に作用することにより、中間転写ベルト７０に搭載されたトナー像は、始めに第１の二次転写ローラ５Ａに付与される電界により大多数のトナーが用紙Ｐに転写され、次いで振動付与手段９Ａの振動により中間転写ベルト７０に残ったトナーが離れやすくなり、最後に、第２の二次転写ローラ５Ｂに付与される電界により用紙Ｐへの転写が完了する。この構成により中間転写ベルト７０に搭載されたトナー像は効率良く転写される。
【００４９】
また、本発明者は、第２の電源（電界制御部）５０Ｂにより第２の二次転写ローラ５Ｂに付与される電界を第１の二次転写ローラ５Ａに付与される電界と同等の電界にすると、転写を終えた用紙Ｐが中間転写ベルト７０から剥離されるときに剥離放電を起こすことを確認しており、実施形態における第２の二次転写ローラ５Ｂに付与される電界は、剥離放電を起こさない範囲の電界となるように設定しているため、放電による画像抜けやトナー像の逆転写の無い安定した転写画像を得ることができる。
【００５０】
図３は、本発明の実施形態に係る転写装置により像担持体上に形成される電界の強さと振動付与手段により付与される振動付与領域との関係を表したグラフである。図３において、用紙Ｐは右から左に搬送される。グラフ右側の高い山が第１の二次転写ローラ（第１転写電界付与手段）５Ａにより付与される電界を示し、左側の低い山が第２の二次転写ローラ（第２転写電界付与手段）５Ｂにより付与される電界を示す。第１の二次転写ローラ５Ａにより付与される電界が用紙Ｐに作用する位置より用紙搬送方向の上流側の、用紙Ｐが中間転写ベルトに当接し始める地点から、第２の二次転写ローラ５Ｂにより付与される電界が低くなる地点までの領域が、本転写装置における転写領域を示す。第１の二次転写ローラ５Ａと第２の二次転写ローラ５Ｂとの間に配設される振動付与手段９Ａにより付与される機械的振動は、グラフ中央部の２つの山に挟まれた電界の弱い地点で付与される。このため、振動付与手段９Ａにより機械的振動が付与される間は、中間転写ベルト７０に残ったトナーが離れやすくなるだけで、用紙Ｐに転写されるトナーは少なく、転写チリや逆転写の発生が抑制される。
【００５１】
これまでの実施形態では、トナー像の中間転写ベルトから用紙Ｐへの二次転写工程について説明したが、本発明は、感光体から中間転写ベルトへの一次転写工程についても適用できる。
【００５２】
図４は、本発明に係る他の実施形態である転写装置について説明するための模式的断面図である。
【００５３】
図４における転写装置は、例えば、カラー画像形成装置における一次転写の転写装置であり、図１に示す画像形成部１０Ｙ、１０Ｍ、１０Ｃ、１０Ｋのいずれか１つの画像形成部の一部の構成を変えたものである。
【００５４】
第１の転写部材である中間転写ベルト７Ａは、第１の像担持体であるドラム状の感光体１Ａに対し、感光体１Ａ上に形成されるトナー像にタイミングを合わせて、第１の一次転写ローラ５Ｅ及び第２の一次転写ローラ５Ｆの移動により圧接され、感光体１Ａに密着して矢示の方向に移動する。第１の一次転写ローラ５Ｅは第２の一次転写ローラ５Ｆより中間転写ベルト搬送方向の上流側に配置される。第１の一次転写ローラ５Ｅは第１の電源（電界制御部）５０Ｅに、第２の一次転写ローラ５Ｆは第２の電源（電界制御部）５０Ｆに、それぞれ電気的に接続されている。第１の電源（電界制御部）５０Ｅにより形成される電界は、第２の電源（電界制御部）５０Ｆにより形成される電界より高くなるように設定されると共に、互いに独立して電界を付与することができるように構成されている。また、２つの一次転写ローラ５Ｅ、５Ｆの間には、振動付与手段９Ｂが配設される。
【００５５】
感光体１Ａの回転にタイミングを合わせて、第１の電源（電界制御部）５０Ｅと第２の電源（電界制御部）とが通電され、振動付与手段９Ｂが駆動されて中間転写ベルト７Ａに振動が付与される。
【００５６】
感光体１Ａ上に形成されたトナー像は、第１の一次転写ローラ５Ｅを介して付与された電界により大多数のトナーが中間転写ベルト７Ｅに転写され、その後、振動付与手段９Ｂの振動により感光体１Ａ上に残ったトナーが離れやすくなり、第２の二次転写ローラ５Ｆに付与される電界により中間転写ベルト７Ｅへの転写が完了する。
【００５７】
カラー画像形成装置においては、これら一連の一次転写工程を繰り返すことにより、各色のトナー像が中間転写ベルト上に逐次転写され、合成されたカラー画像が形成される。
【００５８】
なお、これまでの説明では、振動付与手段としてピエゾ素子を用いたものについて説明したが、振動付与手段としてはこれに限らず、図５及び図６に示すようなものを用いても良い。
【００５９】
図５は、本発明に係る振動付与手段の他の実施形態である表面に突起部を有するローラを示す斜視図である。本実施の形態では、振動付与手段９Ｅは、表面に突起部を形成した樹脂製の円筒状部材を一体成形加工した部材を金属芯金に一体的に嵌合して製造したものであるが、金属パイプに複数の樹脂製又は金属製の突起部材を埋め込んだものでも良い。
【００６０】
図６は、本発明に係る振動付与手段の他の実施形態である断面が歯車状に形成されたローラを示す斜視図である。本実施の形態では、振動付与手段９Ｆは、樹脂製の一体成形加工した部材を、金属芯金に一体的に嵌合して製造したものであるが、金属円筒部材を切削加工したものでも良い。
【図面の簡単な説明】
【００６１】
【図１】本発明に係るカラー画像形成装置の一実施の形態を示す断面構成図である。
【図２】本発明に係る実施形態としての転写装置の構成及び動作を説明するための模式的断面図である。
【図３】本発明の実施形態に係る転写装置により像担持体上に形成される電界の強さと振動付与手段により付与される振動付与領域との関係を表したグラフである。
【図４】本発明に係る他の実施形態である転写装置について説明するための模式的断面図である。
【図５】本発明に係る振動付与手段の他の実施形態である表面に突起部を有するローラを示す斜視図である。
【図６】本発明に係る振動付与手段の他の実施形態である断面が歯車状に形成されたローラを示す斜視図である。
【符号の説明】
【００６２】
１Ａ、１Ｙ、１Ｍ、１Ｃ、１Ｋ  感光体（第１の像担持体）
２３Ａ  ガイド部材
５Ａ  第１の二次転写ローラ
５Ｂ  第２の二次転写ローラ
５Ｄ  バックアップローラ
５Ｅ  第１の一次転写ローラ
５Ｆ  第２の一次転写ローラ
５Ｙ、５Ｍ、５Ｃ、５Ｋ  一次転写ローラ
５０Ａ、５０Ｅ  第１の電源（電界制御部）
５０Ｂ、５０Ｆ  第２の電源（電界制御部）
７０  中間転写ベルト（第２の像担持体）
７Ａ  中間転写ベルト（第１の転写媒体）
９Ａ、９Ｂ、９Ｅ、９Ｆ  振動付与手段
Ｐ  用紙（第２の転写媒体）
【図１】
2006243596.tif 000003
【図２】
2006243596.tif 000004
【図３】
2006243596.tif 000005
【図４】
2006243596.tif 000006
【図５】
2006243596.tif 000007
【図６】
2006243596.tif 000008